(57)【要約】【課題】本発明は、遊戯機において役物を基板に簡単に取付ける場合、釘等の締結具を省いて外観を良くし、かつ取付けの手間を省くことを課題とする。【解決手段】遊戯機の基板１の役物取付け穴２に表側から役物１０を取付ける場合、役物１０の裏側に少なくとも左右一対の弾性係合脚１２を突設し、各弾性係合脚１２の先端部には外側に突出する係合部１３を形成し、該弾性係合脚１２を該基板１の役物取付け穴２に貫挿し、該弾性係合脚１２の係合部１３を該基板１の役物取付け穴２の裏側周縁に係合することによって、釘等の締結具を省略した。【選択図】    図３
2007061343.tif 000002
【特許請求の範囲】
【請求項１】
遊戯機の基板の役物取付け穴に表側から役物を取付ける場合、役物の裏側に少なくとも左右一対の弾性係合脚を突設し、各弾性係合脚の先端部には外側に突出する係合部を形成し、該弾性係合脚を該基板の役物取付け穴に貫挿し、該弾性係合脚の係合部を該基板の役物取付け穴の裏側周縁に係合したことを特徴とする役物取付け構造。
【請求項２】
該基板の裏面には更に開口部を有する集合板が取付けられ、該集合板の開口部は該集合板を該基板に取付けた状態で該基板の役物取付け穴に一致しており、該役物の該弾性係合脚は該基板の役物取付け穴と該集合板の開口部とに貫挿され、該弾性係合脚の係合部は該集合板の開口部の内側周縁に係合されている請求項１に記載の役物取付け構造。
【請求項３】
該集合板の下周縁には複数個の係止爪が垂設されており、該基板の裏面には該集合板の係止爪が係止される複数個の係止板取付けスリットが設けられており、該集合板は該係止爪を該基板の係止板取付けスリットにそれぞれ係止することによって取付けられている請求項２に記載の役物取付け構造。
【発明の詳細な説明】
【技術分野】
【０００１】
本発明は、パチンコ機等の遊戯機の基板に、チャッカー、ランプハウジング、始動ゲート、図柄表示装置、入賞装置等の役物を取付けるために使用される役物取付け構造に関するものである。
【背景技術】
【０００２】
従来、遊戯機の基板に役物を取付けるには、該基板の表側から役物を取付け釘等の締結具によって止着していた（例えば特許文献１参照）。
【０００３】
【特許文献１】特開平７−５９９１２号公報
【発明の開示】
【発明が解決しようとする課題】
【０００４】
上記従来構成では、取付け釘の頭が基板の表側から見えるので、外観的に好ましいものではない。
【課題を解決するための手段】
【０００５】
本発明は上記従来の課題を解決するための手段として、遊戯機の基板１の役物取付け穴２に表側から役物１０を取付ける場合、役物１０の裏側に少なくとも左右一対の弾性係合脚１２を突設し、各弾性係合脚１２の先端部には外側に突出する係合部１３を形成し、該弾性係合脚１２を該基板１の役物取付け穴２に貫挿し、該弾性係合脚１２の係合部１３を該基板１の役物取付け穴２の裏側周縁に係合した役物取付け構造を提供するものである。
通常は該基板１の裏面には更に開口部７を有する集合板６が取付けられ、該集合板６の開口部７は該集合板６を該基板１に取付けた状態で該基板１の役物取付け穴２に一致しており、該役物１０の該弾性係合脚１２は該基板１の役物取付け穴２と該集合板６の開口部７とに貫挿され、該弾性係合脚１２の係合部１３は該集合板６の開口部７の内側周縁に係合されている。該集合板６の下周縁には複数個の係止爪８が垂設されており、該基板１の裏面には該集合板６の係止爪８が係止される複数個の係止板取付けスリット４が設けられており、該集合板６は該係止爪８を該基板１の係止板取付けスリット４にそれぞれ係止することによって取付けられていることが望ましい。
【発明の効果】
【０００６】
〔作用〕
役物１０を遊戯機の基板１の役物取付け穴２に該基板１の表側から該役物１０の弾性係合脚１２を貫挿する。この際該役物１０の弾性係合脚１２は係合部１３を介して該基板１の役物取付け穴２の側壁に押されて内側に弾性的に曲がり、そして該弾性係合脚１２の係合部１３が該基板１の役物取付け穴２の裏側に貫通した時、該弾性係合脚１２は弾性的に復元して該係合部１３が、該基板１の役物取付け穴２の裏側周縁に係合する。
該基板１の裏面に更に集合板６が取付けられている場合には、該弾性係合脚１２の係合部１３を、該基板１の役物取付け穴２から該集合板６の開口部７に貫挿し、該弾性係合脚１２の係合部１３を該開口部７の裏側周縁に係合する。この際該集合板６の下周縁には複数個の係止爪８が垂設されており、該基板１の裏面には該集合板６の係止爪８が係止される複数個の係止板取付けスリット４が設けられており、該集合板６は該係止爪８を該基板１の係止板取付けスリット４にそれぞれ係止することによって取付けられていると、ビスやボルト等の締結具を使用することなく集合板６を基板１に取付けることが出来る。
【０００７】
〔効果〕
このようにして役物は基板の表側に取付けられるが、該役物は裏面に一体的に形成されている弾性係合脚によって該基板の役物取付け穴に取付け固定されているので、釘、ビス、ボルト等の別個の締結具を使用する必要がなく、釘頭等が基板の表側から見えると云う不具合が解消され、また締結具によって役物を基板に取付けると云う手間も省略される。
【発明を実施するための最良の形態】
【０００８】
図１〜図４に本発明の一実施例を示す。図において１は基板であり例えば合板からなり、役物取付け穴２、集合板取付け穴３，３、集合板取付けスリット４，４等が設けられており、該役物取付け穴２の前後周縁には奥端から係合凹部５，５が開設されている。
【０００９】
６は集合板であり、合成樹脂成形品からなり、該集合板６には開口部７、下周縁前後左右に係止爪８，８等が垂設されており、該開口部７の左右縁内側にはフランジ９，９が設けられている。
【００１０】
１０は役物であり、該役物１０は合成樹脂成形品からなり、該役物１０の裏面フランジ１１の四隅には弾性係合脚１２が延設されており、各弾性係合脚１２の先端部はくの字状に屈曲されて外側に突出する係合部１３が形成されている。更にフランジ１１の前後縁部からは係止爪１４，１４が延設されており、該係止爪１４，１４には先端係止部１４Ａ，１４Ａが形成されている。
【００１１】
上記構成において、基板１の裏側に集合板６を取付ける。該集合板６は各係止爪８を該基板１の集合板取付けスリット４に係止することによって、ビス、ボルト等の締結具を使用することなく該基板１の裏側に固定される。
【００１２】
更に該基板１の役物取付け穴２に、役物１０の四隅の弾性係合脚１２が挿入される。図２に示すように左右の弾性係合脚１２，１２の外巾Ｗ1 は、該基板１の役物取付け穴２の左右内巾Ｗ1 と略等しく設定され、また左右の弾性係合脚１２，１２の係合部１３，１３の外巾Ｗ2 は、該基板１の役物取付け穴２の左右内巾Ｗ1 より若干大きく（Ｗ1 ＞Ｗ2 ）設定されている。また集合板６の開口部７の左右フランジ９，９の内巾Ｗ1 は該基板１の役物取付け穴２の左右内巾Ｗ1 に略等しく設定されている。
【００１３】
したがって該役物１０の弾性係合脚１２を該基板１の役物取付け穴２に挿入した時、該弾性係合脚１２は該係合部１３を介して該役物取付け穴２の左右側壁に押されて図２点線に示すように内側に弾性的に曲がる。そして該役物１０の弾性係合脚１２は該係合部１３が、基板１の役物取付け穴２および該集合板６の開口部７の左右フランジ９，９を貫通した時、該弾性係合脚１２は弾性的に復元し、図３および図４に示すように該弾性係合脚１２の係合部１３は該集合板６の開口部７の左右フランジ９，９の上縁に係合し、同時に該役物１０の係止爪１４，１４の先端係止部１４Ａ，１４Ａが該基板１の役物取付け穴２の前後周縁の係合凹部５，５の下縁に係合する。
【００１４】
このようにして役物１０は基板１の表側に取付けられるが、該役物１０は裏面に一体的に形成されている弾性係合脚１２によって該基板１の役物取付け穴２に取付け固定されているので、釘、ビス、ボルト等の別個の締結具を使用する必要がなく、釘頭等が基板の表側から見えると云う不具合が解消され、また締結具によって役物を基板に取付けると云う手間も省略される。
【００１５】
本実施例では役物１０の弾性係合脚１２にはくの字状に屈曲した係合部１３を設けたが、それ以外、例えば図５に示すように、弾性係合脚１２Ａの先端にくさび形状の係合部１３Ａを形成してもよく、また役物１０の弾性係合脚１２の係合部１３は、基板１の役物取付け穴２の周縁に直接係合されてもよい。
【産業上の利用可能性】
【００１６】
本発明では役物を取付けた遊戯機の外観が良くなり、また役物取付けの手間も省ける。したがって本発明は産業上有用に利用可能である。
【図面の簡単な説明】
【００１７】
図１〜図４は本発明の一実施例を示すものである。
【図１】分解斜視図
【図２】役物と基板役物取付け穴との関係を示す説明側断面図
【図３】役物取付け状態裏側斜視図
【図４】役物取付け状態一部切欠き裏側斜視図
【図５】他の実施例の役物側面図
【符号の説明】
【００１８】
１                    基板
２                    役物取付け穴
４                    係止板取付けスリット
６                    集合板
７                    開口部
８                    係止爪
１０                  役物
１２，１２Ａ          弾性係合脚
１３，１３Ａ          係合部
【図１】
2007061343.tif 000003
【図２】
2007061343.tif 000004
【図３】
2007061343.tif 000005
【図４】
2007061343.tif 000006
【図５】
2007061343.tif 000007